(57)【要約】      （修正有）【課題】構造が単純で、設置が容易で、外観が魅力的であり、屋内および屋外の緑化に好適な折り畳み可能な緑化ラックを提供する。【解決手段】緑化ラックは、互いに平行に配置されている複数の第１の支持ロッド１０の上側表面または下側表面に、互いに平行に配置されている複数の第２の支持ロッド２０が重ねられて第１の支持ロッドと交差し、交差位置にリベット穴が設定され、格子造りの緑化ラックを形成するためにリベット３０を介してヒンジ連結され、各リベットのベースの上側端面は中心に第１のコラムを具備し、第１のコラムの上側端に第１の円錐ボスを具備し、第１の円錐ボスの上側端面は中心に第２のコラムを具備し、第２のコラムの上側端に第２の円錐ボスを具備し、第１の円錐ボスの外径およびベースの外径はともに第１のコラムの外径より大きく、第２の円錐ボスの外径は第２のコラムの外径より大きく、第１の円錐ボスの外径は第２の円錐ボスの外径より大きい。【選択図】図４
0003214853.tif 000002
【実用新案登録請求の範囲】
【請求項１】
折り畳み可能な緑化ラックであって、
互いに平行なある間隔で配置されている複数の第１の支持ロッドの上側表面または下側表面には、互いに平行なある間隔で配置されている複数の第２の支持ロッドが重ねられて前記第１の支持ロッドと交差しており、前記第１の支持ロッドが前記第２の支持ロッドと交差する位置において設定されるリベット穴は、格子造りの前記緑化ラックを形成するために、リベットを介してヒンジ連結されており、
前記リベットにおいて、前記リベットのベースの上側端面は、中心に第１のコラムを具備し、前記第１のコラムの上側端は、第１の円錐ボスを具備し、前記第１の円錐ボスの上側端面は、中心に第２のコラムを具備し、前記第２のコラムの上側端は、第２の円錐ボスを具備し、前記第１の円錐ボスの外径および前記ベースの外径はともに、前記第１のコラムの外径より大きく、前記第２の円錐ボスの外径は、前記第２のコラムの外径より大きく、前記第１の円錐ボスの外径は、前記第２の円錐ボスの外径より大きい、
折り畳み可能な緑化ラック。
【請求項２】
前記第１の支持ロッドおよび前記第２の支持ロッドはともに、中空の矩形のチューブ、丸いチューブ、または平らなチューブである、
請求項１に記載の折り畳み可能な緑化ラック。
【請求項３】
前記第１のコラムの外径は、前記第２のコラムの外径より大きい、
請求項１に記載の折り畳み可能な緑化ラック。
【請求項４】
前記リベットは、射出成形により得られる各一体の中実構造体である、
請求項１に記載の折り畳み可能な緑化ラック。
【請求項５】
前記第１の支持ロッドおよび前記第２の支持ロッドはともに、プラスチックで作られている、
請求項１に記載の折り畳み可能な緑化ラック。
【請求項６】
前記第１のコラムの外径は、前記第１の支持ロッドが前記第２の支持ロッドと交差する位置において設定される前記リベット穴の内径と一致している、
請求項５に記載の折り畳み可能な緑化ラック。
【請求項７】
人工植物は、各リベットの前記第２のコラムに挿入される、
請求項１〜６のいずれか一項に記載の折り畳み可能な緑化ラック。
【請求項８】
各人工植物は、一体に形成された装飾部分と、前記装飾部分の底部に連結された挿入部分と、を含み、前記挿入部分では、２つ以上の連結ピラーは、中心穴を備えた円筒ボスまたは円錐ボスの一端面に間隔を空けて形成され、各連結ピラーの外端は、前記装飾部分の底部に連結され、前記中心穴の内径は、前記第２のコラムの外径と一致している、
請求項７に記載の折り畳み可能な緑化ラック。
【請求項９】
前記装飾部分は、プラスチック製の造花、人工の葉付き造花、あるいは人工の葉、または人工の枝および葉である、
請求項８に記載の折り畳み可能な緑化ラック。
【考案の詳細な説明】
【技術分野】
【０００１】
本考案は、フェンスあるいは屋内および屋外の緑化の技術分野に属し、折り畳み可能な緑化ラックに関する。
【背景技術】
【０００２】
世間一般に、中庭、庭、または部屋の中の仕切り壁もしくは天井によっては、見栄えを良くし、または人を実際に自然の中にいるような気分にさせる緑化効果を備えた人工植物が備え付けられている。しかしながら、現在の市場で入手可能な人工植物は、フェンス、レール、または天井のフレームに巻き付けるかまたは結び付ける必要があるので、組み立てが難しく、製造コストが高く、外観が乏しく、人工植物が外れやすい。
【考案の概要】
【考案が解決しようとする課題】
【０００３】
本考案は、連結が安定し、外観が魅力的で、製造コストが低い伸縮式の緑化ラックを提供することを目的とする。
【課題を解決するための手段】
【０００４】
本考案の目的は、折り畳み可能な緑化ラックによって実現される。本考案は、互いに平行なある間隔で配置されている複数の第１の支持ロッドの上側表面または下側表面には、互いに平行なある間隔で配置されている複数の第２の支持ロッドが重ねられて第１の支持ロッドと交差し、第１の支持ロッドが第２の支持ロッドと交差する位置において設定されるリベット穴は、格子造りの緑化ラックを形成するために、リベットを介してヒンジ連結され、各リベットの特定の構造によれば、ベースの上側端面は、中心に第１のコラムを具備し、第１のコラムの上側端は、第１の円錐ボスを具備し、第１の円錐ボスの上側端面は、中心に第２のコラムを具備し、第２のコラムの上側端は、第２の円錐ボスを具備し、第１の円錐ボスの外径およびベースの外径はともに、第１のコラムの外径より大きく、第２の円錐ボスの外径は、第２のコラムの外径より大きく、第１の円錐ボスの外径は、第２の円錐ボスの外径より大きい。
【０００５】
第１の支持ロッドおよび第２の支持ロッドはともに、中空の矩形のチューブ、丸いチューブ、または平らなチューブである。
【０００６】
第１のコラムの外径は、第２のコラムの外径より大きい。
【０００７】
リベットは、射出成形により得られる各一体の中実構造体である。
【０００８】
第１の支持ロッドおよび第２の支持ロッドはともに、プラスチックで作られている。
【０００９】
第１のコラムの外径は、第１の支持ロッドが第２の支持ロッドと交差する位置において設定されるリベット穴の内径と一致している。
【００１０】
人工植物は、各リベットの第２のコラムに挿入される。
【００１１】
各人工植物は、一体に形成された装飾部分と、装飾部分の底部に連結された挿入部分と、を含む。挿入部分では、２つ以上の連結ピラーは、中心穴を備えた円筒ボスまたは円錐ボスの一端面に間隔を空けて形成され、各連結ピラーの外端は、装飾部分の底部に連結され、中心穴の内径は、第２のコラムの外径と一致している。
【００１２】
装飾部分は、プラスチック製の造花、人工の葉付き造花、あるいは人工の葉、または人工の枝および葉である。
【考案の効果】
【００１３】
従来技術と比較して、折り畳み可能な緑化ラックは、次の顕著で有益な技術的効果を有する。
【００１４】
１．緑化ラックの第１の支持ロッドおよび第２の支持ロッドは、中実のリベットを用いてリベット連結を介して形成され、人工植物は、組み立てて緑化ラックに挿入することができ、このようにして、巻き付けおよび結び付けのような複雑な製造工程は省略され、素材は節約され、製造工程は単純になり、製造コストは低くなる。
【００１５】
２．中実のリベットは、高い強度、長い耐用年数、そして、外れやすくない良好な外れ防止効果を有し、外観が魅力的である。
【００１６】
３．人工植物が緑化ラックの各リベットの第２の円錐ボスに容易に挿入できるおかげで、緑化ラックおよび人工植物は、包装して別々に輸送することができ、また、完全に組み立て後に包装して輸送することもでき、ユーザの多角的な輸送需要は、容易に満たすことができる。
【００１７】
４．折り畳み可能な緑化ラックは、構造が単純で、設置が容易で、製造コストが低く、人工植物が緑化ラックに挿入後に外れやすくなく、外観が魅力的であるという利点を有し、また、折り畳み可能な緑化ラックは、屋内および屋外の孤立したエリアの緑化またはスペース緑化に好適である。
【図面の簡単な説明】
【００１８】
【図１】人工植物を挿入していない本考案の前方概略図である。
【図２】本考案のリベットの前面図である。
【図３】本考案の局所的断面図である。
【図４】本考案の局所的斜視図である。
【図５】本考案の人工植物の概略斜視図である。
【図６】図５のＡ部分の拡大図である。
【考案を実施するための形態】
【００１９】
本考案については、添付の図面および特定の実施形態（図１〜６を参照）を参照してさらに説明する。
【００２０】
折り畳み可能な緑化ラックが示されており、互いに平行なある間隔で配置されている複数の第１の支持ロッド１０の上側表面または下側表面には、互いに平行なある間隔で配置されている複数の第２の支持ロッド２０が重ねられて第１の支持ロッド１０と交差しており、第１の支持ロッド１０が第２の支持ロッド２０と交差する位置において設定されるリベット穴は、格子造りの緑化ラックを形成するために、リベット３０を介してヒンジ連結されており、各リベット３０の特定の構造によれば、ベース３１の上側端面は、中心に第１のコラム３２を具備し、第１のコラム３２の上側端は、第１の円錐ボス３３を具備し、第１の円錐ボス３３の上側端面は、中心に第２のコラム３４を具備し、第２のコラム３４の上側端は、第２の円錐ボス３５、または円錐体、あるいはマッシュルーム形状体を具備し、第１の円錐ボス３３の外径Ｄ３およびベース３１の外径Ｄ５はともに、第１のコラム３２の外径Ｄ４より大きく、第２の円錐ボス３５の外径Ｄ１は、第２のコラム３４の外径Ｄ２より大きく、第１の円錐ボス３３の外径Ｄ３は、第２の円錐ボス３５の外径Ｄ１より大きい。
【００２１】
第１の支持ロッド１０および第２の支持ロッド２０はともに、中空の矩形のチューブ、丸いチューブ、または平らなチューブである。
【００２２】
第１のコラム３２の外径Ｄ４は、第２のコラム３４の外径Ｄ２より大きい。
【００２３】
リベット３０は、射出成形により得られる各一体の中実構造体である。
【００２４】
第１の支持ロッド１０および第２の支持ロッド２０はともに、プラスチックで作られている。
【００２５】
第１のコラム３２の外径Ｄ４は、第１の支持ロッド１０が第２の支持ロッド２０と交差する位置において設定されるリベット穴の内径と一致している。
【００２６】
人工植物４０は、各リベット３０の第２のコラム３４に挿入される。
【００２７】
各人工植物４０は、一体に形成された装飾部分４１と、装飾部分４１の底部に連結された挿入部分４２と、を含む。挿入部分４２では、２つ以上の連結ピラー４２３は、中心穴４２２を備えた円筒ボスまたは円錐ボス４２１の一端面に間隔を空けて形成され、各連結ピラー４２３の外端は、装飾部分４１の底部に連結され、中心穴４２２の内径は、第２のコラム３４の外径Ｄ２と一致している。
【００２８】
装飾部分４１は、プラスチック製の造花、人工の葉４１１付き造花、あるいは人工の葉４１１、または人工の枝および葉である。
【００２９】
上記の実施形態は、本考案の単なる好適な実施形態であり、本考案の保護範囲を限定することを意図していない。したがって、本考案の構造、形状、および原理に従って作られる等価な修正形態は、すべて本考案の保護範囲の範囲内に入ると考えるべきである。
【図１】
0003214853.tif 000003
【図２】
0003214853.tif 000004
【図３】
0003214853.tif 000005
【図４】
0003214853.tif 000006
【図５】
0003214853.tif 000007
【図６】
0003214853.tif 000008